(57)【特許請求の範囲】
【請求項１】
透水層と不透水層とが混在する互層地盤の縦孔からの湧き出す水を止水する湧水の止水方法であって、
前記縦孔を必要形状になるように掘削する工程と、
前記縦孔の不透水層の位置に配置される膨張型の先端パッカとそれよりも上方の不透水層中に配置される複数の中間パッカとが外周に取り付けられた前記縦孔の孔口まで届く長さの中空管を有する閉塞装置を、前記縦孔に配置する工程と、
前記先端パッカ及び前記中間パッカで前記縦孔を閉塞させる工程と、
最上段の前記中間パッカが前記縦孔の孔壁に密着している状態で、前記中空管と前記縦孔の隙間に止水材を充填する工程と、
前記中空管の上端から湧水がある場合に、湧水が止まる高さまで前記中空管を延ばす工程とを備えたことを特徴とする湧水の止水方法。
【請求項２】
透水層と不透水層とが混在する互層地盤の縦孔からの湧き出す水を止水する湧水の止水方法であって、
前記縦孔の不透水層の位置に配置される膨張型の先端パッカとそれよりも上方の不透水層中に配置される複数の中間パッカとが外周に取り付けられた前記縦孔の孔口まで届く長さの中空管を有する閉塞装置を、前記縦孔に配置する工程と、
前記先端パッカ及び前記中間パッカで前記縦孔を閉塞させる工程と、
最上段の前記中間パッカが前記縦孔の孔壁に密着している状態で、前記中空管と前記縦孔の隙間に止水材を充填する工程と、
前記中空管の上端から湧水がある場合に、湧水が止まる高さまで前記中空管を延ばす工程とを備えたことを特徴とする湧水の止水方法。
【請求項３】
前記中空管の上端から湧水がない状態で、前記中空管内に止水材を充填する工程を備えたことを特徴とする請求項１又は２に記載の湧水の止水方法。
【請求項４】
前記中間パッカは、地上から充填材を注入することによって膨張する充填型パッカと、水と反応して膨張する水膨潤型パッカとの少なくとも２種類があることを特徴とする請求項１乃至３のいずれか一項に記載の湧水の止水方法。
【請求項５】
前記縦孔を必要形状に掘削する工程において円錐状の先端ビットを使用し、前記先端パッカは、前記先端ビットの掘削形状に合わせた外形に成形されることを特徴とする請求項１乃至４のいずれか一項に記載の湧水の止水方法。
【請求項６】
前記縦孔を必要形状に掘削した底面に前記先端パッカを押し付けることを特徴とする請求項５に記載の湧水の止水方法。
【発明の詳細な説明】
【技術分野】
【０００１】
本発明は、古井戸やボーリング孔等から湧き出す水を止水するための湧水の止水方法に関するものである。
【背景技術】
【０００２】
特許文献１には、地下水位より深い地下掘削工事において、古井戸やボーリング孔の後処理材の劣化等によって掘削底に地下水が溢れてしまう場合の止水方法が開示されている。
【０００３】
この特許文献１の止水方法では、まず出水孔に流水に流されない程度の大きさの粒状材を充填して流水の勢いを抑制し、その後に粒状材の隙間に薬液を注入して出水孔を閉塞させる。
【０００４】
一方、特許文献２−５には、透水層と不透水層とが混在する互層地盤において、各透水層の透水性を個別に評価するために、止水パッカを使って他の層からの地下水の流入を遮断して行う揚水試験方法又は揚水装置が開示されている。
【０００５】
例えば特許文献２には、硬質リングと弾性体リングとを積層させ、ねじで締め付けることによって横方向に拡張させる止水パッカが開示されている。また、特許文献３には、複数の止水リングを使った止水パッカが開示されている。
【０００６】
さらに、特許文献４には、ゴム製の袋体に水や空気を封入して膨張させる止水体が開示されている。また、特許文献５にも、可撓性膜体によって円筒形状に形成された空間に水を注入することで膨張させる止水パッカが開示されている。
【先行技術文献】
【特許文献】
【０００７】
【特許文献１】特開２０１０−５３５８９号公報
【特許文献２】特開２００１−２７９６５４号公報
【特許文献３】特開平７−２１７３６２号公報
【特許文献４】特開平６−１０８４５０号公報
【特許文献５】特開２００１−２８００５２号公報
【発明の概要】
【発明が解決しようとする課題】
【０００８】
しかしながら、不透水層の下方に被圧帯水層がある場合に、その被圧帯水層まで古井戸が到達していると、その圧力の大きさによっては湧き出す水の勢いが強すぎて、特許文献１に開示されているような止水方法では湧水を止水することができない場合がある。
【０００９】
また、近くで掘削底まで地下水位を下げるためのディープウエルを稼働している場合は、特許文献１に開示されているような薬液を注入する方法では薬液まで吸い上げられるおそれがあるため、一時的にディープウエルを止めなければならず、不安定な状態が発生することになる。
【００１０】
そこで、本発明は、湧水の勢いが強い場合でも確実に止水をおこなうことが可能な湧水の止水方法を提供することを目的としている。
【課題を解決するための手段】
【００１１】
前記目的を達成するために、本発明の湧水の止水方法は、透水層と不透水層とが混在する互層地盤の縦孔からの湧き出す水を止水する湧水の止水方法であって、前記縦孔が必要形状を有しているかを確認する、又は前記縦孔を必要形状になるように掘削する工程と、前記縦孔の不透水層の位置に配置される膨張型の先端パッカとそれよりも上方の不透水層中に配置される複数の中間パッカとが外周に取り付けられた前記縦孔の孔口まで届く長さの中空管を有する閉塞装置を、前記縦孔に配置する工程と、前記先端パッカ及び前記中間パッカで前記縦孔を閉塞させる工程と、最上段の前記中間パッカが前記縦孔の孔壁に密着している状態で、前記中空管と前記縦孔の隙間に止水材を充填する工程と、前記中空管の上端から湧水がある場合に、湧水が止まる高さまで前記中空管を延ばす工程とを備えたことを特徴とする。
【００１２】
ここで、前記中空管の上端から湧水がない状態で、前記中空管内に止水材を充填する工程を備えた構成とすることができる。また、前記中間パッカは、地上から充填材を注入することによって膨張する充填型パッカと、水と反応して膨張する水膨潤型パッカとの少なくとも２種類を使用することができる。
【００１３】
さらに、前記縦孔を必要形状に掘削する工程において円錐状の先端ビットを使用し、前記先端パッカは、前記先端ビットの掘削形状に合わせた外形に成形されることが好ましい。また、前記縦孔を必要形状に掘削した底面に前記先端パッカを押し付けることが好ましい。
【発明の効果】
【００１４】
このように構成された本発明の湧水の止水方法は、中空管と先端パッカと中間パッカとを有する閉塞装置を縦孔に配置し、湧水の勢いを低減した後に、中空管の周囲に止水材を充填し、さらに中空管を上方に延長することによって上向きの水の流れを止める。
【００１５】
このように段階を追って徐々に水の流れを抑えていくため、湧水の勢いが強い場合でも確実に止水をおこなうことができる。特に、水の流れを止めた後に中空管内に止水材を充填することによって、確実に湧水を止水することができる。
【００１６】
また、充填型パッカと水膨潤型パッカの２種類の中間パッカを併用することで、所望する数の中間パッカを配置して信頼性の高い閉塞構造を形成することができる。すなわち、充填型パッカは、閉塞の信頼性は高いがパッカ毎に注入ホースを配管しなければならない。そのため、充填型パッカを多くは取り付けられないが、水膨潤型パッカを併用することによって、地盤の変化に対応して必要な位置に必要な数の中間パッカを配置することができるようになる。
【００１７】
さらに、先端パッカの外形を先端ビットによって掘削された底面の形状に合わせることで、先端パッカの不透水層への密着度を高めることができる。特に、不透水層に先端パッカを押し付けることで、先端パッカが不透水層にめり込んで周囲に水みちができないようにすることができる。
【図面の簡単な説明】
【００１８】
【図１】本発明の実施の形態の湧水の止水方法の工程を説明する図であって、（ａ）は中空管を延長する工程を示した図、（ｂ）は中空管内の上方への水の流れが止まった状態を示した図、（ｃ）は中空管内にグラウト材を充填する工程を示した図である。
【図２】閉塞装置の先端付近を拡大して示した説明図である。
【図３】水膨潤型パッカの構成を示した図であって、（ａ）は図２のＡ−Ａ矢視方向で見た断面図、（ｂ）は上段に配置される水膨潤型パッカの断面図である。
【図４】本発明の実施の形態の湧水の止水方法の工程を説明する図であって、（ａ）は縦孔の湧水状況を示した図、（ｂ）は縦孔を不透水層まで拡径掘削する工程を示した図である。
【図５】本発明の実施の形態の湧水の止水方法の工程を説明する図であって、（ａ）は拡径部に閉塞装置を設置する工程を示した図、（ｂ）は充填型パッカを膨張させる工程を示した図、（ｃ）は水膨潤型パッカが膨張した状態を示した図である。
【図６】湧水が止水された状態を示した断面図である。
【発明を実施するための形態】
【００１９】
以下、本発明の実施の形態について図面を参照して説明する。本実施の形態の湧水の止水方法は、図１，４−６に示すような透水層と不透水層とが混在する互層地盤の縦孔１から湧き出す水を止水する方法である。
【００２０】
このような互層地盤は、例えば、地表側に存在する透水層としての不圧帯水層Ｇ１の下方に、透水係数が非常に小さい不透水層Ｇ２と、それよりも透水係数が大きい透水層Ｇ３と、上方の不透水層Ｇ２と同程度の透水係数の不透水層Ｇ４とが積層された状態で存在している。
【００２１】
そして、不透水層Ｇ４の下には、透水層としての被圧帯水層Ｇ５が存在している。この被圧帯水層Ｇ５の地下水は、圧力を受けた状態で存在しているため、縦孔１などによって大気と繋がると、湧水となって湧き出すことがある。
【００２２】
縦孔１には、古井戸や地盤調査に使用したボーリン孔などがある。このような縦孔１が存在しても、被圧帯水層Ｇ５の被圧水頭よりも地表の標高が高ければ水が湧き出すことはない。
【００２３】
しかしながら、図４（ａ）に示すように工事などによって地盤を掘削して、被圧水頭よりも低い位置まで床付け面１３が下がると、縦孔１の孔口１ａから被圧帯水層Ｇ５の水が湧き出すことになる。このような場合に、本実施の形態の湧水の止水方法を実施する。
【００２４】
まず、縦孔１の孔口１１ａに釜場１２を掘り、縦孔１の調査や掘削を行うための櫓４１を組み立てる。そして、調査ボーリングや電気検層などで、縦孔１の深度、不透水層Ｇ２、Ｇ４並びに透水層（Ｇ１，Ｇ３，Ｇ５）の位置及び範囲、帯水状況などの地盤調査を行う。この地盤調査によって、止水に利用する不透水層Ｇ２，Ｇ４を選定する。
【００２５】
続いて、図４（ｂ）に示すように、後述する閉塞装置２によって閉塞させる不透水層Ｇ４の深度まで、閉塞装置２が挿入できるように縦孔１の形状を拡大するための拡径掘削を行う。
【００２６】
この拡径掘削は、元々存在する縦孔１が中心になるように注意して行う。このため、拡径掘削によって形成される拡径部１１は、理想的には縦孔１の同心円となる。
【００２７】
この拡径部１１に挿入する閉塞装置２は、拡径部１１の底面１１ｂから孔口１１ａまで届く長さの中空管２１と、その中空管２１の外周に取り付けられる先端パッカ２２及び中間パッカ（２３，２３Ａ，２４，２４Ａ）とを主に備えている。
【００２８】
図２は、閉塞装置２の先端付近を拡大して示した説明図である。中空管２１は、拡大前の縦孔１の内径よりも少し小さい外形の円筒管である。中空管２１は、塩化ビニル管などによって形成される。
【００２９】
そして、中空管２１の先端２１ａより少し上方の外周に先端パッカ２２が取り付けられる。この先端パッカ２２は、下方に向けて先細る截頭円錐状に形成される。
【００３０】
この先端パッカ２２の形状は、拡径掘削に使用する先端ビット（図示省略）の形状に合わせて成形される。すなわち、拡径部１１の底面１１ｂは、先端ビットの形状に掘削されるため、先端ビットに合わせた形状の先端パッカ２２を使用することで、膨張させる前からある程度、底面１１ｂに密着させることができる。
【００３１】
この先端パッカ２２は、中空管２１の外周に水膨潤テープ２２ａを巻き付けることによって製作される。例えば、中空管２１の外周にセメントで逆截頭円錐状の下地部を作り、その外周に水膨潤テープ２２ａを巻き付けて、上端と下端を固定テープ２２ｂ，２２ｂで押えればよい。
【００３２】
水膨潤テープ２２ａは、水と接触すると体積が膨張する材料である。水膨潤テープ２２ａの膨張倍率や膨張速度は任意に設定することができる。例えば、地下水の水質によって膨張倍率や膨張速度を設定することができる。また、水膨潤テープ２２ａの厚さや形状は、拡径部１１との隙間の大きさなどによって設定することができる。
【００３３】
そして、先端パッカ２２の上方には、中間パッカとしての充填型パッカ２３を取り付ける。この充填型パッカ２３は、織布や不織布などによって形成される袋体２３ａと、その袋体２３ａの内側に充填材を注入するための注入ホース２３ｂとによって主に構成される。
【００３４】
袋体２３ａは、中空管２１を覆うように取り付けられる。また、袋体２３ａの内空には注入ホース２３ｂの先端が挿入される。袋体２３ａは、膨張したときに拡径部１１の孔壁に密着可能となるたるみがある状態で、下端が中空管２１の外周に密着固定される。
【００３５】
袋体２３ａに注入する充填材としては、例えばグラウト材などが利用できる。流動性のあるグラウト材を注入ホース２３ｂによって袋体２３ａの内部に充満させると、袋体２３ａは拡径部１１の孔壁に押し付けられるまで膨張する。
【００３６】
また、袋体２３ａは、織布又は不織布という水が透過可能な材料で形成されているので、グラウト材内の水分が排出されてセメント分が袋体２３ａ内に残り、セメントが硬化する際の収縮がほとんどなくなって膨張した形状を維持させることができる。
【００３７】
一方、充填型パッカ２３の上方に取り付けられる水膨潤型パッカ２４は、先端パッカ２２とほぼ同じ材料を使って円柱状に形成される。図３（ａ）は、図２に示した水膨潤型パッカ２４の断面図である。
【００３８】
ここで、水膨潤型パッカ２４を取り付ける位置には、充填型パッカ２３の注入ホース２３ｂが中空管２１に沿って配管されている。このため、中空管２１と注入ホース２３ｂの外周を被覆するような円柱状のセメント部２４ｃを成形する。
【００３９】
このセメント部２４ｃの外形は、拡径部１１の内径よりも少し小さい。そして、セメント部２４ｃの外周に水膨潤テープ２４ａを巻き付けて、上端と下端を固定テープ２４ｂ，２４ｂで留める。
【００４０】
なお、図３（ｂ）は、後述する充填型パッカ２３Ａの上方に取り付ける水膨潤型パッカ２４Ａの断面図である。この水膨潤型パッカ２４Ａは、２本の注入ホース２３ｂ，２３ｃを被覆している。
【００４１】
このような閉塞装置２を、図５（ａ）に示すように縦孔１の拡径部１１に挿し込む。なお、図１，５，６では、閉塞装置２は模式的に図示されている。この閉塞装置２には、図２で説明した水膨潤型パッカ２４の上方に間隔を置いて２つの水膨潤型パッカ２４，２４が取り付けられている。
【００４２】
また、透水層Ｇ３の上方の不透水層Ｇ２に配置されるように、充填型パッカ２３Ａが取り付けられている。この充填型パッカ２３Ａは、下段の充填型パッカ２３の注入ホース２３ｂを覆っている以外は充填型パッカ２３と同様の構成であるため、詳細な説明は省略する。
【００４３】
さらに、充填型パッカ２３Ａの上方には、３つの水膨潤型パッカ２４Ａ，２４Ａ，２４Ａが取り付けられる。この水膨潤型パッカ２４Ａは、上下の充填型パッカ２３，２３Ａの２本の注入ホース２３ｂ，２３ｃを覆っている以外は下段の水膨潤型パッカ２４と同様の構成であるため、詳細な説明は省略する。
【００４４】
閉塞装置２の先端パッカ２２、充填型パッカ２３，２３Ａ及び水膨潤型パッカ２４，２４Ａは、不透水層Ｇ４と不透水層Ｇ２の範囲に配置される。
【００４５】
なお、本実施の形態では、不透水層Ｇ２，Ｇ４間に透水層Ｇ３が存在する地盤に設置する閉塞装置２であったため、充填型パッカ２３及び水膨潤型パッカ２４，２４，２４並びに充填型パッカ２３Ａ及び水膨潤型パッカ２４Ａ，２４Ａ，２４Ａの２組の中間パッカを配置したが、これに限定されるものではなく、地盤に応じて中間パッカの数を調整することができる。
【００４６】
一方、拡径部１１に挿し込んだ閉塞装置２は、図２に示すように拡径部１１の底面１１ｂに先端パッカ２２を押し付けて密着させる。底面１１ｂに密着した先端パッカ２２は、その周囲の水分によって水膨潤テープ２２ａが膨張するので、押し付けた以上に孔壁に密着することになり、孔壁と先端パッカ２２との間の隙間をなくすことができる。
【００４７】
また、被圧帯水層Ｇ５の被圧状態の地下水は、中空管２１の先端２１ａから流れ込んで孔口部２１ｂに向けて上昇することになる。そこで、中空管２１の孔口部２１ｂに横引管２５を接続して、横引管２５を使った排水を行う。
【００４８】
続いて、図５（ｂ）に示すように地上の床付け面１３に設置した充填ポンプ２３ｄに注入ホース２３ｂ，２３ｃを繋いで、セメントなどの充填材を充填型パッカ２３，２３Ａにそれぞれ個別に注入して膨張させる。
【００４９】
このように充填材の充填によって膨張する充填型パッカ２３，２３Ａは、注入圧や注入量を制御することによって、孔壁に密着するまで確実に膨張させることができるので信頼性が高い。下段の充填型パッカ２３によって主に先端パッカ２２から抜け出して上昇する水流を抑え、上段の充填型パッカ２３Ａによって主に透水層Ｇ３から拡径部１１に浸入した水の流れを抑える。
【００５０】
また、閉塞装置２を拡径部１１に配置して暫くすると、水膨潤型パッカ２４，２４Ａの周りの水分によって水膨潤テープ２４ａが膨張して、図５（ｃ）に示すように水膨潤型パッカ２４，２４Ａが孔壁に密着することになる。
【００５１】
この段階では、勢いの強い被圧帯水層Ｇ５の水は中空管２１によって排水されるとともに、不透水層Ｇ２，Ｇ４での遮水が先端パッカ２２、充填型パッカ２３，２３Ａ及び水膨潤型パッカ２４，２４Ａによって行われている状態になるため、最上段の水膨潤型パッカ２４Ａより上方の拡径部１１の水は滞留した状態になる。
【００５２】
そこで、最上段の水膨潤型パッカ２４Ａより上方の拡径部１１に止水材としてのグラウト材３Ａを充填して、中空管２１と拡径部１１の孔壁との隙間を埋める。
【００５３】
この結果、中空管２１と拡径部１１の孔壁との間は、拡径部１１の全長に亘って閉塞されたことになる。また、グラウト材３Ａであれば、不圧帯水層Ｇ１に浸透することがほとんどないので、床付け面１３より地下水位を低くするために近くでディープウエルを稼働させていたとしても、そのまま動かし続けることができる。
【００５４】
続いて、図１（ａ）に示すように釜場１２に押えコンクリート３１を打ち込み、その上方に足場４を組み立てる。この足場４を使って、中空管２１の孔口部２１ｂの上方に延長管２６を延ばす。
【００５５】
また、横引管２５のバルブ２５ａは閉めて、横引管２５による排水を止める。延長管２６は、図１（ｂ）に示すように被圧帯水層Ｇ５の被圧水頭２６ａの高さ以上になるまで延長する。このように被圧水頭２６ａよりも高い位置まで延長管２６が延びていれば、地下水は平衡状態となって中空管２１内の地下水の上方への流れは止まり、湧水のない状態になる。
【００５６】
続いて、中空管２１の中に止水材としてのグラウト材３Ｂを充填する。グラウト材３Ｂは、縦孔１の下端１ｂまで充填される。なお、中空管２１の先端や途中を塞いで中空管２１の内部にだけグラウト材３Ｂを充填することもできる。
【００５７】
図６は、グラウト材３Ｂが硬化して止水構造が完成した状態を示している。ここで、足場４と床付け面１３よりも上方の延長管２６は撤去されている。このようにグラウト材３Ｂが充填されていれば、中空管２１の経路で被圧帯水層Ｇ５の水が再び上昇してくることはない。
【００５８】
また、拡径部１１に流れ込む水があったとしても、先端パッカ２２、充填型パッカ２３、３段の水膨潤型パッカ２４，２４，２４、充填型パッカ２３Ａ、３段の水膨潤型パッカ２４Ａ，２４Ａ，２４Ａ及びグラウト材３Ａによって上昇が阻止されるので、拡径部１１の孔口１１ａから再び水が湧き出すことはない。
【００５９】
このように構成された本実施の形態の湧水の止水方法は、中空管２１と先端パッカ２２と中間パッカ（２３，２３Ａ，２４，２４Ａ）とを有する閉塞装置２を縦孔１の拡径部１１に配置し、湧水の流れを中空管２１に集中させて周囲の流れの勢いを低減した後に、中空管２１の周囲にグラウト材３Ａを充填する。そして、延長管２６を継ぎ足して中空管２１を上方に延長することによって地下水を平衡状態にして、上向きの水の流れを止める。
【００６０】
このように段階を追って徐々に水の流れを抑えていくため、湧水の勢いが強い場合でも確実に止水をおこなうことができる。特に、水の流れを止めた後に中空管２１内にグラウト材３Ｂを充填することによって、長期的に安定性のある構造で確実に湧水を止水することができる。
【００６１】
また、充填型パッカ２３，２３Ａと水膨潤型パッカ２４，２４Ａの２種類の中間パッカを併用することで、所望する数の中間パッカを配置して信頼性の高い閉塞構造を形成することができる。
【００６２】
すなわち、充填型パッカ２３，２３Ａは、充填材を地上から注入して膨張させるために、注入圧や注入量などによって膨張状況を地上で把握することができ、閉塞の信頼性が高い。しかしながら、一つの充填型パッカ２３（２３Ａ）に１本の注入ホース２３ｂ（２３ｃ）を配管しなければならず、上方に配置される中間パッカにその注入ホース２３ｂ，２３ｃを収容させる構成となることから多くは取り付けられない。
【００６３】
これに対して水膨潤型パッカ２４，２４Ａは、注入ホースなどの膨張させるため制御装置を必要としないので、不透水層Ｇ２，Ｇ４と透水層Ｇ３とが入り混じるような複雑な地盤であっても、必要な位置に必要な数の水膨潤型パッカ２４，２４Ａ，・・・を配置することで閉塞性能を高めることができる。
【００６４】
さらに、先端パッカ２２を先端ビットによって掘削された底面１１ｂの形状に合わせることで、先端パッカ２２の密着度を高めることができる。特に不透水層Ｇ４に先端パッカ２２を押し付けることで、先端パッカ２２が不透水層Ｇ４にめり込んで周囲に水みちができないようにすることができる。
【００６５】
以上、図面を参照して、本発明の実施の形態を詳述してきたが、具体的な構成は、この実施の形態に限らず、本発明の要旨を逸脱しない程度の設計的変更は、本発明に含まれる。
【００６６】
例えば、前記実施の形態では、中空管２１内にグラウト材３Ｂを充填して延長管２６を撤去したが、これに限定されるものではなく、延長管２６をそのまま残す場合は、中空管２１内にグラウト材３Ｂを充填しなくてもよい。
【００６７】
また、前記実施の形態では、被圧水頭２６ａが大きかったため中空管２１に延長管２６を接続する工程を実施したが、これに限定されるものではなく、閉塞装置２の当初の中空管２１の長さの中で湧水が止まる場合は、延長管２６を接続する工程は必要ない。
【００６８】
さらに、前記実施の形態では、縦孔１を拡径掘削して拡径部１１を設けたが、これに限定されるものではなく、縦孔１が閉塞装置２の挿入が可能な大きさである場合は拡径掘削をする必要はない。
【符号の説明】
【００６９】
１              縦孔
１ａ            孔口
１１            拡径部
１１ａ          孔口
１１ｂ          底面
２              閉塞装置
２１            中空管
２１ｂ          孔口部
２２            先端パッカ
２２ａ          水膨潤テープ
２３，２３Ａ    充填型パッカ（中間パッカ）
２４，２４Ａ    水膨潤型パッカ（中間パッカ）
２６            延長管
２６ａ          被圧水頭
３Ａ，３Ｂ      グラウト材（止水材）
Ｇ１            不圧帯水層（透水層）
Ｇ２，Ｇ４      不透水層
Ｇ３            透水層
Ｇ５            被圧帯水層（透水層）
【図１】
0005950672.tif 000002
【図２】
0005950672.tif 000003
【図３】
0005950672.tif 000004
【図４】
0005950672.tif 000005
【図５】
0005950672.tif 000006
【図６】
0005950672.tif 000007